(57)【特許請求の範囲】
【請求項１】
遊技盤に固定される合成樹脂製の遊技球誘導部材を備えた遊技機であって、
前記遊技球誘導部材には、貫通孔および流下する遊技球が衝突する衝突部が当該貫通孔と異なる位置に形成され、
前記貫通孔の縁から外側に向かって発生するウェルドラインが前記衝突部に到達しない形状であり、
前記遊技球誘導部材は、前記遊技盤の盤面に密接する第一板状部分を有し、
前記衝突部は、前記第一板状部分の縁に向かって厚みが次第に小さくなるように当該第一板状部分に形成されており、
前記遊技球誘導部材は、前記第一板状部分の下流側縁から前記遊技盤の盤面に対し交差するように前方に向かう第二板状部分を有し、
前記第一板状部分と前記第二板状部分の境界は、内側だけでなく、外側が曲面形状であることを特徴とする遊技機。
【請求項２】
前記ウェルドラインは、前記貫通孔側の端部である基端よりもその反対側の端部である先端の方が、前記衝突部との距離が遠くなる形状であることを特徴とする請求項１に記載の遊技機。
【請求項３】
前記遊技球誘導部材には、前記衝突部とは異なる衝突部であって、当該衝突部よりも遊技球が衝突しにくい別の衝突部、および当該別の衝突部とは異なる位置に遊技球が衝突することがない非衝突部が形成され、
前記ウェルドラインを前記貫通孔の反対側の端部である先端から延長した直線が、前記衝突部と交差しない形状であることを特徴とする請求項１または請求項２に記載の遊技機。
【請求項４】
前記遊技盤の前方の遊技領域は、盤面上側から下側にかけて広がる第一領域と、第一領域の下側から盤面中央側にかけて広がる第二領域とを含み、
前記遊技球誘導部材は、前記第一領域に設けられていることを特徴とする請求項１から請求項３のいずれか一項に記載の遊技機。
【請求項５】
前記遊技盤の前方の遊技領域には、遊技球が通過可能な通路であって、出口側の少なくとも一部が略重力方向に沿う垂直通路が設けられており、
前記遊技球誘導部材は、前記衝突部が前記垂直通路の出口側に位置するようにして、当該垂直通路の出口の下方に設けられていることを特徴とする請求項１から請求項４のいずれか一項に記載の遊技機。
【請求項６】
前記貫通孔は、前記第一板状部分を厚み方向に貫くように形成され、
前記遊技球誘導部材は、前記貫通孔に通される取付部材により前記第一板状部分が前記遊技盤の盤面に密接するように当該遊技盤に固定されていることを特徴とする請求項１から請求項５のいずれか一項に記載の遊技機。
【請求項７】
前記遊技球誘導部材には、成形時に材料が注入された痕である注入痕が形成され、
前記ウェルドラインは、前記貫通孔の縁における前記注入痕の反対側から外側に向かって延びるように形成され、
前記第一板状部分には、その一側縁に沿って前記衝突部が形成されるとともに、当該一側縁に交差する側面に前記注入痕が形成されていることを特徴とする請求項６に記載の遊技機。
【発明の詳細な説明】
【技術分野】
【０００１】
本発明は、遊技盤に固定される合成樹脂製の遊技球誘導部材を備えた遊技機に関する。
【背景技術】
【０００２】
ぱちんこ遊技機の遊技盤には、遊技釘に代表される遊技球を誘導する部材（遊技球の流下態様（経路）を規制する部材）が固定される。下記特許文献１に記載される（特許文献１の段落０１１２に記載される）ように、合成樹脂製の誘導部材が使用される場合もある。
【先行技術文献】
【特許文献】
【０００３】
【特許文献１】特開２０１３−２５５７２３号公報
【発明の概要】
【発明が解決しようとする課題】
【０００４】
合成樹脂製の遊技球誘導部材を用いた遊技機において、遊技球が衝突した際の衝撃等により、当該遊技球誘導部材が破損してしまう問題があった。
【０００５】
本発明が解決しようとする課題は、遊技球誘導部材の破損を抑制することができる遊技機を提供することである。
【課題を解決するための手段】
【０００６】
上記課題を解決するためになされた請求項１の発明にかかる遊技機は、遊技盤に固定される合成樹脂製の遊技球誘導部材を備えた遊技機であって、前記遊技球誘導部材には、貫通孔および流下する遊技球が衝突する衝突部が当該貫通孔と異なる位置に形成され、前記貫通孔の縁から外側に向かって発生するウェルドラインが前記衝突部に到達しない形状であり、前記遊技球誘導部材は、前記遊技盤の盤面に密接する第一板状部分を有し、前記衝突部は、前記第一板状部分の縁に向かって厚みが次第に小さくなるように当該第一板状部分に形成されており、前記遊技球誘導部材は、前記第一板状部分の下流側縁から前記遊技盤の盤面に対し交差するように前方に向かう第二板状部分を有し、前記第一板状部分と前記第二板状部分の境界は、内側だけでなく、外側が曲面形状であることを特徴とする。
【０００７】
請求項２に記載の発明は、請求項１に記載の遊技機において、前記ウェルドラインは、前記貫通孔側の端部である基端よりもその反対側の端部である先端の方が、前記衝突部との距離が遠くなる形状であることを特徴とする。
【０００８】
請求項３に記載の発明は、前記遊技球誘導部材には、前記衝突部とは異なる衝突部であって、当該衝突部よりも遊技球が衝突しにくい別の衝突部、および当該別の衝突部とは異なる位置に遊技球が衝突することがない非衝突部が形成され、前記ウェルドラインを前記貫通孔の反対側の端部である先端から延長した直線が、前記衝突部と交差しない形状であることを特徴とする請求項１または請求項２に記載の遊技機。
【０００９】
請求項４に記載の発明は、請求項１から請求項３のいずれか一項に記載の遊技機において、前記遊技盤の前方の遊技領域は、盤面上側から下側にかけて広がる第一領域と、第一領域の下側から盤面中央側にかけて広がる第二領域とを含み、前記遊技球誘導部材は、前記第一領域に設けられていることを特徴とする。
【００１０】
請求項５に記載の発明は、請求項１から請求項４のいずれか一項に記載の遊技機において、前記遊技盤の前方の遊技領域には、遊技球が通過可能な通路であって、出口側の少なくとも一部が略重力方向に沿う垂直通路が設けられており、前記遊技球誘導部材は、前記衝突部が前記垂直通路の出口側に位置するようにして、当該垂直通路の出口の下方に設けられていることを特徴とする。
【００１２】
請求項６に記載の発明は、請求項１から請求項５のいずれか一項に記載の遊技機において、前記貫通孔は、前記第一板状部分を厚み方向に貫くように形成され、前記遊技球誘導部材は、前記貫通孔に通される取付部材により前記第一板状部分が前記遊技盤の盤面に密接するように当該遊技盤に固定されていることを特徴とする。
【００１３】
請求項７に記載の発明は、請求項６に記載の遊技機において、前記遊技球誘導部材には、成形時に材料が注入された痕である注入痕が形成され、前記ウェルドラインは、前記貫通孔の縁における前記注入痕の反対側から外側に向かって延びるように形成され、前記第一板状部分には、その一側縁に沿って前記衝突部が形成されるとともに、当該一側縁に交差する側面に前記注入痕が形成されていることを特徴とする。
【発明の効果】
【００１５】
請求項１に記載の発明によれば、貫通孔の縁から外側に向かって発生するウェルドラインが衝突部に到達しない形状となるように遊技球誘導部材が形成されているから、ウェルドラインの存在を原因とする遊技球誘導部材の破損を抑制することが可能である。
また、衝突部が（第一）板状部分の縁に向かって厚みが次第に小さくなるように形成された部分であっても、当該衝突部の破損を抑制することが可能である。
また、第一板状部分と第二板状部分の境界が、内側だけでなく、外側が曲面形状であるようにすれば、第一板状部分から第二板状部分に至る板状部分全体の厚みを均一に近づけることができる（境界部分の厚みがその他の部分に比べて厚くなることを抑制できる）から、遊技球誘導部材（第一板状部分と第二板状部分の境界付近）にヒケが発生するのを抑制することが可能である。
【００１６】
請求項２に記載の発明のように、ウェルドラインをその基端よりも先端の方が衝突部との距離が遠くなる形状となるようにすれば、遊技球誘導部材の破損を抑制する効果をさらに高めることが可能である。
【００１７】
請求項３に記載の発明のように、ウェルドラインをその先端から延長した直線が、衝突部と交差しない形状となるようにすれば、遊技球誘導部材の破損を抑制する効果をさらに高めることが可能である。
【００１８】
盤面上側から下側にかけて広がる第一領域は、遊技球の流下速度（加速度）が大きいいため、このような第一領域に配置される部材に対して遊技球が衝突したときの衝撃が大きくなる。したがって、請求項４に記載の発明のように、このような遊技球が衝突したときの衝撃が大きい第一領域に上記遊技球誘導部材を配置することが効果的である。
【００１９】
垂直通路の出口側を出た遊技球は、そのまま真っすぐ重力方向に流下することが多いため、このような垂直流路の出口側に位置する部材に対して遊技球が衝突したときの衝撃が大きくなる。したがって、請求項５に記載の発明のように、垂直流路の出口側に上記遊技球誘導部材を配置することが効果的である。
【００２１】
請求項６に記載の発明のように、（第一）板状部分が遊技盤の盤面に密接するように当該遊技盤に固定される部分であって、遊技盤取付用の貫通孔および衝突部が形成される部分である場合に、上記構成を採用することが特に有効である。
【００２２】
請求項７に記載の発明のように、（第一）板状部分の一側縁に沿って衝突部が形成される場合には、（第一）板状部分の一側縁に交差する側面から材料を注入することで遊技球誘導部材を成形すればよい。このようにすることで、発生するウェルドラインが衝突部に向かう形状となりにくくすることが可能である。
【図面の簡単な説明】
【００２４】
【図１】本発明の一実施形態にかかる遊技機の正面図である。
【図２】本発明の一実施形態にかかる遊技盤の正面図である。
【図３】遊技領域における遊技球誘導部材が設けられた箇所を拡大して示した図である。
【図４】遊技球誘導部材の外観斜視図である。
【図５】遊技球誘導部材の断面図（図４に示したＡ−Ａ線断面図）である。
【図６】好ましいウェルドラインの形状（第一の好適な形状）を説明するための模式図である。
【図７】好ましいウェルドラインの形状（第二の好適な形状）を説明するための模式図である。
【発明を実施するための形態】
【００２５】
以下、本発明にかかる実施形態について図面を参照して詳細に説明する。なお、以下の説明における平面方向とは遊技盤９０の平面方向に沿う（平行な）方向を、前後方向とは遊技盤９０の平面方向に直交する方向（遊技者側を前、その反対側を後とする）を、左右方向（幅方向）とは図１および図２の左右方向を、上下方向とは図１および図２の上下方向をいうものとする。
【００２６】
まず、図１および図２を参照して遊技機１の全体構成について簡単に説明する。遊技機１は遊技盤９０を備える。遊技盤９０は、ほぼ正方形の合板により成形されており、発射装置９０９の操作によって発射された遊技球を遊技領域９１に案内する金属製の薄板からなる帯状のガイドレール９０３が略円弧形状となるように設けられている。
【００２７】
遊技領域９１には、表示装置９０８、第一始動入賞口９０４、第二始動入賞口９０５、第一大入賞口９０６ａ、第二大入賞口９０６ｂ、アウト口９０７などが設けられている。表示装置９０８は、例えば液晶表示装置が用いられ、表示装置９０８の表示領域において特別図柄や普通図柄等が表示される。かかる表示装置９０８の表示領域は、遊技盤９０に形成された開口９０１を通じて視認可能である。
【００２８】
また、遊技領域９１には、流下する遊技球が衝突することにより遊技球の流下態様に変化を与える部材（誘導する部材）としての遊技釘が複数設けられている。遊技領域９１を流下する遊技球は、遊技釘に衝突したときの条件に応じて様々な態様に変化する。
【００２９】
本実施形態にかかる遊技機１は、この遊技釘とともに、流下する遊技球を誘導する部材として遊技盤９０に固定された、合成樹脂製の遊技球誘導部材１ａを備える。かかる遊技球誘導部材１ａの詳細については後述する。
【００３０】
このような遊技機１では、発射装置を操作することにより遊技領域９１に向けて遊技球を発射する。遊技球は、遊技釘や遊技球誘導部材１ａに誘導されながら遊技領域９１を流下する。この遊技球が、始動入賞口９０４、９０５や大入賞口９０６ａ、９０６ｂ等の入賞口に入賞すると、所定の数の賞球が払出装置により払い出される。その他、大当たりの抽選方法や演出等は、公知の遊技機と同様のものが適用できるため、説明は省略する。
【００３１】
以下、遊技球誘導部材１ａについて詳細に説明する。図１〜図５に示す本実施形態における遊技球誘導部材１ａは、第一板状部分１０および第二板状部分２０を有する。第一板状部分１０は、遊技盤９０の盤面（前面）に密接する（平面方向に沿って配置される）部分である。第二板状部分２０は、第一板状部分１０の下端から前方に向かって突出するように延びる部分である。なお、本実施形態における遊技球誘導部材１ａは、これら第一板状部分１０および第二板状部分２０と、装飾部３０（第二板状部分２０の下方に位置する部分）が一体成形された部材である。かかる装飾部３０の構成はどのようなものであってもよいため説明を省略する。また、遊技球誘導部材１ａには、このような装飾部３０が設けられていなくてもよい。
【００３２】
遊技球誘導部材１ａの第一板状部分１０には、衝突部１１および貫通孔１２が形成されている。第一板状部分１０は、正面から見て、幅方向に長い略長方形状を呈する。衝突部１１は、第一板状部分１０の上側縁に沿って形成されている。具体的には、衝突部１１は、第一板状部分１０の上側縁に向かって厚みが次第に小さくなるように形成された部分である。換言すれば、下側から上側に向かって次第に遊技盤９０の盤面に近づく傾斜面が形成された部分である。なお、衝突部１１の先端（第一板状部分１０の上側縁）は、適宜丸められていれば（面取りされていれば）よい。
【００３３】
本実施形態における貫通孔１２は、遊技球誘導部材１ａを遊技盤９０に固定するための取付部材（ビス等）（図を分かりやすくするため図示せず）が通される部分である。当該取付部材によって第一板状部分１０が遊技盤９０の盤面に密接するようにして、遊技球誘導部材１ａが遊技盤９０に固定されている。なお、貫通孔１２の用途はこれに限られるものではない。例えば、装飾のための貫通孔や、位置決めのための貫通孔であってもよい。すなわち、後述するように貫通孔１２の存在はウェルドライン１５が発生する要因となるものであるが、当該貫通孔１２を形成する目的は遊技球誘導部材１ａを遊技盤９０に固定する以外の目的であってもよい。本実施形態では、第一板状部分１０に当該第一板状部分１０を厚み方向に貫く二つの貫通孔１２が形成されている。当該二つの貫通孔１２は、所定間隔を隔てて幅方向に並ぶように位置する。遊技球の流下方向（後述）でみると、上記衝突部１１は貫通孔１２よりも上流側に形成されている。
【００３４】
また、第一板状部分１０の右側縁には、上記衝突部１１とは異なる別の衝突部１３が形成されている。当該別の衝突部１３は、上記衝突部１１と同様に、第一板状部分１０の右側縁に向かって厚みが次第に小さくなるように形成された部分である。後述するように、当該別の衝突部１３は、上記衝突部１１よりも遊技球が衝突しにくい（衝突頻度が低い）位置に位置する。
【００３５】
また、第一板状部分１０の左側縁（左側面）は、遊技球が衝突することがない部分である（後述する非衝突部１４となっている）。当該左側面には、遊技球誘導部材１ａを成形する際に合成樹脂材料の注入口が当該箇所に位置していたことを示す注入痕１４１（図３等において模式的に示す）が形成されている。つまり、第一板状部における衝突部１１が形成された一側縁である上側縁と交差する側面である左側面に、当該注入痕１４１が形成されている。なお、注入痕１４１は、当該部位から合成樹脂材料が注入されたことを示す痕であれば、どのような形状であっても（凹みであっても凸であっても）よい。
【００３６】
第二板状部分２０は、左側から右側に向かって下方に変位するように傾斜した部分である。第二板状部分２０は、第一板状部分１０の下端から前方に向かって突出する。図５に示すように、第一板状部分１０と第二板状部分２０は、断面で見て略「Ｌ」字状に屈曲した形状を呈する。第一板状部分１０と第二板状部分２０の境界は、内側２１だけでなく、外側２２が曲面形状（Ｒ形状）である。具体的には、第一板状部分１０の上端から、第二板状部分２０の前端に至るまで、当該板状部分の厚みが略一定となるように、両板状部分の境界は内側２１が曲面形状とされるだけでなく、外側２２も曲面形状となっている。このようにすることで、第一板状部分１０から第二板状部分２０に至る板状部分全体の厚みを均一に近づけることができる（境界部分の厚みがその他の部分に比べて厚くなることを抑制できる）から、遊技球誘導部材１ａ（第一板状部分１０と第二板状部分２０の境界付近）にヒケが発生するのを抑制することが可能である。
【００３７】
このような構成を備える遊技球誘導部材１ａは、次のような位置に取り付けられている。本実施形態にかかる遊技機１（遊技盤９０）は、遊技領域９１として、第一遊技領域９１１および第二遊技領域９１２を含む。第一遊技領域９１１は、盤面上側から下側にかけて広がる領域である。本実施形態における第一遊技領域９１１は、表示装置９０８（表示領域）の左側縁（図２に示す線Ｘ１）より左側の領域である。第二遊技領域９１２は、第一領域の下側から盤面中央側にかけて広がる領域である。本実施形態における第二遊技領域９１２は、表示装置９０８の左側縁より右側かつ表示装置９０８の下側縁より下側の領域である。かかる第一遊技領域９１１と第二遊技領域９１２により、いわゆる左打ち遊技領域が構成される。大まかにみて、第一遊技領域９１１に進入した遊技球は、重力方向下向きに流下し、第一遊技領域９１１から第二遊技領域９１２に進入して幅方向中央に向かうこととなる。
【００３８】
遊技球誘導部材１ａは、第一遊技領域９１１に配置されている。本実施形態では、第一遊技領域９１１の最も下側に配置されている。具体的には、衝突部１１が上側に位置し、第二板状部分２０が左側から右側に向かって下方に傾斜する状態となるように配置されている。したがって、第一遊技領域９１１を流下した遊技球の多くは、衝突部１１に衝突しながら第二板状部分２０の上に到達する。第二板状部分２０の上に到達した遊技球は、当該第二板状部分２０によって第二遊技領域９１２方向に向けて進路を変更し、第二遊技領域９１２に進入することとなる。第一遊技領域９１１を流下した遊技球の全部が流下方向に略直交する形状を有する第二板状部分２０にそのまま衝突すると、第二板状部分２０にかかる衝撃が大きくなることから、その上流側に位置する衝突部１１により、遊技球の勢いを低減させている。つまり、衝突部１１は、第二板状部分２０の上に向かって流下する遊技球の勢いを低減させる緩衝部（第二板状部分２０が負担する衝撃の一部を負担する部分）であるともいえる。遊技球の流下を著しく阻害しないようにしつつ遊技球の勢いを低減させるため、衝突部１１は上述したような傾斜面が形成された形状となっている。
【００３９】
また、第一遊技領域９１１における遊技球誘導部材１ａの上側には、垂直通路９３が設けられている。本実施形態における垂直通路９３は、遊技釘で構成された遊技球が通過可能な通路であるが、遊技釘以外の部材で構成されていてもよい。垂直通路９３は、出口側の少なくとも一部（図３において９３１で示した部分）が、重力方向に沿う形状である。つまり、当該垂直通路９３に進入した遊技球は、当該垂直通路９３の出口より、重力方向下向きに流下していくこととなる。
【００４０】
第一板状部分１０の左側面は、遊技領域９１の周囲を囲む側壁９２に密接している（図３参照）。したがって、第一板状部分１０の左側面に遊技球が衝突することはない。つまり、第一板状部分１０の左側面は、遊技球が衝突することがない非衝突部１４となっている。
【００４１】
このように、本実施形態における遊技球誘導部材１ａは、第一遊技領域９１１を流下した遊技球の多くが衝突部１１に接触するように配置されている。したがって、上側縁に向かって次第に厚みが小さくなるように形成されているためその他の部分に比して強度が低いにも拘わらず、衝突部１１には遊技球が衝突することによる負荷がかかる。また、垂直通路９３の出口の下方に衝突部１１が位置するように配置されているから、真っすぐ重力方向下向きに流下してくる遊技球が多く、当該遊技球が衝突することによる衝突部１１の負荷が大きい。これを踏まえ、本実施形態における遊技球誘導部材１ａには、次のような対策が施されている。
【００４２】
上述したように、遊技球誘導部材１ａの第一板状部分１０には貫通孔１２が形成されている。したがって、合成樹脂製である遊技球誘導部材１ａを成形する際、当該貫通孔１２を形成するために金型に設けられるピン状の部分を周り込むように溶融樹脂が流れることとなるから、第一板状部分１０における貫通孔１２の近傍には、溶融樹脂が合流した痕であるウェルドライン１５が生じてしまう。具体的には、貫通孔１２の縁から外側に向かって延びるウェルドライン１５が生じてしまう。本実施形態における遊技球誘導部材１ａは、当該ウェルドライン１５の形状を制御することにより、第一板状部分１０に形成された衝突部１１の破損を抑制する。
【００４３】
本実施形態において、第一板状部分１０に生ずるウェルドライン１５は、衝突部１１に到達しない形状である。ウェルドライン１５が生じた部分は、当該ラインの一方側の部分と他方側の部分の結合強度が低下しているおそれがあるから、ウェルドライン１５が衝突部１１まで到達していると、遊技球が衝突した衝撃によりウェルドライン１５に沿って衝突部１１に亀裂が生じてしまうおそれがある。このような亀裂（破損）を防止するため、ウェルドライン１５が衝突部１１に到達しないようにしている。衝突部１１よりも遊技球の衝突頻度が低い別の衝突部１３にも到達しないようにするとよい。
【００４４】
さらに好ましいウェルドライン１５の形状（第一の好適な形状）としては、ウェルドライン１５の基端（貫通孔１２側の端部のことをいう。以下同じ）よりもその反対側の端部である先端（ウェルドライン１５の貫通孔１２側から遠い側の端部をいう。以下同じ）の方が、衝突部１１との距離が遠くなる形状が例示できる。図６（ａ）に示すように、ウェルドライン１５が略直線状であれば、基端から先端にいくに従い、ウェルドライン１５と衝突部１１の距離が大きくなっていく形状である。このようにすれば、ウェルドライン１５が貫通孔１２から衝突部１１に向かって延びる形状ではないのであるから、上記のような亀裂がさらに生じにくくなる。図６（ｂ）に示すように、ウェルドライン１５が略直線状でなくても、先端が基端よりも衝突部１１から離れる形状とすれば、そうでない形状（先端が基端よりも衝突部１１に近い形状）とした場合よりも、上記のような亀裂が生じにくくなる。
【００４５】
また、別の好ましいウェルドライン１５の形状（第二の好適な形状）としては、図７に示すように、略直線状のウェルドライン１５を先端から延長した直線Ｌが衝突部１１と交差しない形状が例示できる。ウェルドライン１５の存在がはっきりと視認できる部分だけでなく、そのラインを延長した部分の強度も低下しているおそれがあるから、ウェルドライン１５を先端から延長した直線Ｌが衝突部１１と交差しないようにすることで、衝突部１１の破損を防止する。図７に示されるように、当該延長した直線Ｌは、衝突部１１に比して遊技球が衝突しにくい上述した別の衝突部１３と交差していてもよい。また、図示しないが、遊技球が衝突することがない上述した非衝突部１４と交差していてもよい。
【００４６】
ウェルドライン１５は、上記第一および第二の好適な形状の両方を満たすものであるとさらによい。上述したように、本実施形態では、このような好適な形状のウェルドライン１５が生じるようにするため、第一板状部分１０の左側面（非衝突部１４）となる部分から溶融した合成樹脂材料を注入することで遊技球誘導部材１ａの成形を行う。つまり、衝突部１１が形成される上側縁に交差する側面から合成樹脂材料を注入する。このようにすることで、第一板状部分１０に生ずるウェルドライン１５は、貫通孔１２の縁における右側（注入痕１４１（注入口）が位置する側の反対側）から右に向かって延びる形状（注入痕１４１（注入口）から離れるように延びていく形状）となりやすい。つまり、発生するウェルドライン１５が衝突部１１に向かう形状となりにくくすること（ウェルドライン１５が略直線状であれば、ウェルドライン１５が延びる方向と衝突部１１が延びる方向とが略平行になりやすくすること）が可能である。
【００４７】
以上、本発明の実施の形態について詳細に説明したが、本発明は上記実施の形態に何ら限定されるものではなく、本発明の要旨を逸脱しない範囲で種々の改変が可能である。
【００４８】
なお、上記実施形態では、表示装置９０８（表示領域）の左側縁（図２に示す線Ｘ１）より左側の領域を第一遊技領域９１１（左側第一遊技領域）として、第一領域の下側から盤面中央側にかけて広がる領域を第二遊技領域９１２として設定し、第一遊技領域９１１に遊技球誘導部材１ａが配置されていることを説明したが、表示装置９０８（表示領域）の右側縁（図２に示す線Ｘ２）より右側の領域である遊技領域を第一遊技領域９１１’（右側第一遊技領域）とし、表示装置９０８の右側縁より左側かつ表示装置９０８の下側縁より下側の領域を第二遊技領域９１２として、当該右側第一遊技領域に遊技球誘導部材が設けられた構成としてもよい。つまり、上記実施形態における遊技球誘導部材１ａと略左右対称形状の遊技球誘導部材を、右側第一遊技領域に配置した構成としてもよい。
【符号の説明】
【００４９】
１  遊技機
１ａ  遊技球誘導部材
１０  第一板状部分
１１  衝突部
１２  貫通孔
１３  別の衝突部
１４  非衝突部
１４１  注入痕
１５  ウェルドライン
２０  第二板状部分
２１  第一板状部と第二板状部の境界における内側
２２  第一板状部と第二板状部の境界における外側
９０  遊技盤
９１  遊技領域
９１１  第一遊技領域
９１２  第二遊技領域
９３  垂直通路
【図１】
0005874070.tif 000002
【図２】
0005874070.tif 000003
【図３】
0005874070.tif 000004
【図４】
0005874070.tif 000005
【図５】
0005874070.tif 000006
【図６】
0005874070.tif 000007
【図７】
0005874070.tif 000008